(57)【要約】【課題】  データを提供しているサービス提供者の意図に基づいた態様でデータをユーザへ提示する技術を提供する。【解決手段】  ユーザへ提供されるサービスの一覧を示す一覧データをデータ送信装置５０に記憶させておく。このデータ送信装置５０に、上記サービスを提供するサービス提供者からユーザへ任意に提示される任意データを取得させ、この任意データをユーザへ提示する際にしたがうべき提示条件を特定させる。そして、データ送信装置５０に、一覧データと任意データとを用いてユーザへ提示すべき提示データを上記提示条件にしたがって生成させ、この提示データを上記ユーザが利用する端末装置３０へ送信させる。【選択図】      図１
2005222403.tif 000002
【特許請求の範囲】
【請求項１】
各々のユーザへ提供されるサービスの一覧を示す一覧データを該ユーザ毎に記憶する一覧データ記憶手段と、
前記サービスを提供するサービス提供者から前記ユーザへ任意に提示される任意データを取得する任意データ取得手段と、
前記サービス提供者と、前記ユーザの利用する端末装置を収容する通信網を管理する通信事業者との間で定められた提示条件を特定する特定手段と、
前記特定手段により特定された提示条件にしたがって、前記一覧データ記憶手段に記憶されている一覧データと前記任意データ取得手段により取得された任意データとを用いて前記ユーザへ提示すべき提示データを生成する生成手段と、
前記生成手段により生成された提示データを前記ユーザの利用する端末装置へ送信する送信手段と
を有するデータ送信装置。
【請求項２】
前記サービスの提供を受けるユーザの属性を特定するユーザ属性特定手段を更に備え、
前記任意データの提示を受けるユーザの属性毎に異なる提示条件が前記サービス提供者により定められており、前記特定手段は、前記ユーザ属性特定手段により特定されたユーザの属性に基づいて、前記任意データを前記ユーザへ提示する際に従うべき提示条件を特定する
ことを特徴とする請求項１に記載のデータ送信装置。
【請求項３】
計時手段を更に備え、
前記任意データを前記ユーザへ提示する際に従うべき提示条件には、該提示条件を適用すべき期間が含まれており、前記特定手段は、前記計時手段により計時された時刻を含んでいる期間に対応する提示条件を、前記任意データを前記ユーザへ提示する際に従うべき提示条件として特定する
ことを特徴とする請求項１に記載のデータ送信装置。
【請求項４】
ユーザ毎に、該ユーザへ提供されるサービスの優先順位を設定させ、該ユーザより設定された優先順位を記憶するユーザ順位記憶手段を更に備え、
前記生成手段は、前記特定手段により特定された提示条件と前記ユーザ順位記憶手段に記憶されている優先順位とにしたがって、前記一覧データ記憶手段に記憶されている一覧データと前記任意データ取得手段により取得された任意データとを用いて前記ユーザへ提示すべき提示データを生成する
ことを特徴とする請求項１に記載のデータ送信装置。
【発明の詳細な説明】
【技術分野】
【０００１】
ユーザにデータを提供する際に、ユーザ毎にカスタマイズされたデータを提供する技術に関する。
【背景技術】
【０００２】
近年、インターネットを介して様々なデータが提供されている。このようなデータの一例として、サービス提供者の提供するサービスや製品をユーザへ広告するための広告データがある。ユーザは、ブラウザ機能を備えた携帯電話機などの端末装置を用いて、各サービス提供者の提供する広告データを閲覧し、これにより、各自の嗜好に即したサービスや製品を選択する。
【０００３】
しかしながら、インターネットを介して提供されている広告データの数は膨大であるため、その全てを閲覧することは不可能である。そこで、これら膨大な数の広告データの中から、自身の嗜好に即したサービスや製品についての広告データのみを閲覧したいといったニーズがユーザにはある。このようなユーザのニーズに応えるための技術として、特許文献１に開示されている技術がある。
【０００４】
特許文献１に開示されている技術によれば、ユーザがあるウェブサイトに接続し編集ページまたは検索結果リストの提供を受ける際に、ユーザにより指定された検索トピックや、ユーザの利用しているブラウザソフトウェアのバージョンデータなどのカスタマイズパラメータに適合する広告データが抽出される。そして、このようにして抽出された広告データを挿入されたウェブページがユーザへ提供される。このようなカスタマイズパラメータは、ユーザの嗜好を反映したものであるから、ユーザの嗜好に即した広告データが提供される。
【０００５】
【特許文献１】特開２０００−７８１９５号公報
【０００６】
ところで、広告データの提供を行う際には、サービス提供者は何らかのコストの負担を求められることが一般的である。例えば、あるポータルサイトのホームページに広告データを掲載させるためには、サービス提供者は、そのポータルサイトを運営している通信事業者に所定の料金を支払う必要がある。このため、サービス提供者には、負担したコストに応じた広告効果を確実に得るために、自身の意図に基づいた態様で広告データが提示されるようにしたいといったニーズがある。
【０００７】
しかしながら、特許文献１に開示されている技術を用いたとしても、上述したサービス提供者のニーズに応えることはできない。その理由は、特許文献１に開示されている技術を用いることにより、カスタマイズパラメータが特定の値である場合にのみ特定の広告データが提示されるようにすることは可能になるが、その広告データがどのような態様で提示されるのかは、サービス提供者の意図とは無関係だからである。
【発明の開示】
【発明が解決しようとする課題】
【０００８】
本発明は、上記課題に鑑みて為されたものであり、データを提供しているサービス提供者の意図に基づいた態様でデータをユーザへ提示する技術を提供することを目的としている。
【課題を解決するための手段】
【０００９】
上記課題を解決するために、本発明は、各々のユーザへ提供されるサービスの一覧を示す一覧データを該ユーザ毎に記憶する一覧データ記憶手段と、前記サービスを提供するサービス提供者から前記ユーザへ任意に提示される任意データを取得する任意データ取得手段と、前記任意データを前記ユーザへ提示する際に従うべき提示条件を特定する特定手段と、前記特定手段により特定された提示条件に従って、前記一覧データ記憶手段に記憶されている一覧データと前記任意データ取得手段により取得された任意データとを用いて前記ユーザへ提示すべき提示データを生成する生成手段と、前記生成手段により生成された提示データを前記ユーザが利用する端末装置へ送信する送信手段とを有するデータ送信装置を提供する。
【００１０】
このようなデータ送信装置によれば、上記任意データ毎にその任意データを提供するサービス提供者と通信事業者とによって定められている提示条件にしたがって任意データを端末装置に提示させる提示データが生成され、端末装置へ送信される。
【発明の効果】
【００１１】
本発明によれば、サービス提供者の意図を反映した態様でデータがユーザへ提示されるといった効果を奏する。
【発明を実施するための最良の形態】
【００１２】
以下、図面を参照しつつ、本発明の実施形態について説明する。
［Ａ．構成］
（１：通信システムの構成）
図１は、本発明の実施形態に係るデータ送信装置を有する通信システムの全体構成の一例を示す図である。図１に示されているように、この通信システムは、インターネット１０に接続されているコンテンツサーバ２０Ａ、２０Ｂおよび２０Ｃと、端末装置３０を収容する移動パケット通信網４０と、移動パケット通信網４０の接続されているデータ送信装置５０とを有している。なお、図１では、１つの端末装置のみが例示されているが実際には、複数の端末装置が存在する。また、図１では、３つのコンテンツサーバが例示されているが、実際には多数のコンテンツサーバが存在する。
【００１３】
コンテンツサーバ２０Ａ、２０Ｂおよび２０Ｃは、それぞれ固有のサービス提供者によって運用されているコンピュータ装置であり、そのサービス提供者の提供するコンテンツを記憶している。本実施形態においては、コンテンツサーバ２０Ａは、サービス提供者Ａによって運用されており、サービス提供者Ａの提供するコンテンツＡを記憶しているものとする。また、コンテンツサーバ２０Ｂは、サービス提供者Ｂによって運用されており、サービス提供者Ｂの提供するコンテンツＢを記憶しているものとする。また、コンテンツサーバ２０Ｃは、サービス提供者Ｃによって運用されており、サービス提供者Ｃの提供するコンテンツＣを記憶しているものとする。以下では、これら３つのコンテンツサーバの各々を区別する必要がない場合には、「コンテンツサーバ２０」と表記する。また、上記サービス提供者Ａ、ＢおよびＣのそれぞれを区別する必要がない場合には、単に「サービス提供者」と表記し、上記コンテンツＡ、ＢおよびＣのそれぞれを区別する必要がない場合には、単に「コンテンツ」と表記する。
【００１４】
端末装置３０は、ブラウザ機能を備えた一般的な携帯電話機であり、移動パケット通信網４０やインターネット１０を介してコンテンツサーバ２０やデータ送信装置５０とＨＴＴＰ（Hyper Text Transport Protocol）にしたがった通信を行う機能を備えている。また、この端末装置３０には、移動パケット通信網４０を運営している通信事業者によって割当てられた固有の通信アドレス（例えば、電話番号）が記憶されている。なお、本実施形態においては、上記通信アドレスが端末装置３０に記憶されている場合について説明するが、端末装置３０はＵＩＭ（User Identity Module）などの情報記憶モジュールを装着可能であり、この情報記憶モジュールに上記通信アドレスが格納されているとしても勿論良い。
【００１５】
移動パケット通信網４０は、基地局４１とゲートウェイ装置（以下、「ＧＷ」という）４２とを有している。基地局４１は、一定の広さの無線セルを形成し、その無線セルに在圏している端末装置３０と無線通信するためのものである。ＧＷ４２は、移動パケット通信網４０とインターネット１０とを接続するためのものであり、移動パケット通信網４０における通信プロトコルと、インターネット１０における通信プロトコルとを相互変換する機能を備えている。
【００１６】
データ送信装置５０は、上述した通信事業者によって運用されているコンピュータ装置であり、端末装置３０のユーザに対してポータルサイトサービスを提供するためのものである。このデータ送信装置５０は、図２に示される一覧データテーブルを記憶している。図２に示されているように、一覧データテーブルには、端末装置３０のユーザを一意に識別するユーザ識別子に対応付けて、このユーザに対してサービスを提供するサービス提供者の一覧を示す一覧データが格納されている。この一覧データには、ユーザへサービスを提供するサービス提供者により運営されているコンテンツサーバ２０を一意に識別する識別子（例えば、コンテンツサーバ２０のＵＲＬ：以下、「サーバ識別子」という）が含まれている。また、本実施形態においては、ユーザ識別子として、そのユーザが使用している端末装置３０の通信アドレスを用いる場合について説明するが、ユーザＩＤやパスワードをユーザ識別子として用いても良いことは勿論である。例えば、図２では、端末装置３０を利用しているユーザに対しては、サービス提供者Ａ、ＢおよびＣによりサービスが提供されていることが示されている。
【００１７】
また、データ送信装置５０には、例えば、前述した広告データのようにサービス提供者Ａ、ＢおよびＣから任意に端末装置３０のユーザへ提供される任意データと、図３に示す提示条件テーブルとが記憶されている。この提示条件テーブルは、サーバ識別子と、任意データ識別子と、提示条件データと、を対応付けて格納している。任意データ識別子とは、この任意データ識別子に対応付けられているサーバ識別子で識別されるサービス提供者の提供する任意データを一意に特定するための識別子であり、例えば、その任意データの名称である。提示条件データとは、任意データを提示する際にしたがうべき条件として、この任意データを提供するサービス提供者と上記通信事業者との間で定められた提示条件を示すデータである。このような提示条件データの一例としては、任意データの提示態様についてサービス提供者と通信事業者との間で結ばれている契約の内容に基づいたデータが挙げられる。このようなデータを提示条件データとして用いる理由は、サービス提供者と通信事業者との間で結ばれている契約の内容には、そのサービス提供者の意図が反映されているため、その意図を任意データの提示態様へ反映させることができるからである。本実施形態では、サービス提供者と通信事業者との間で、サービス提供者が上記通信事業者へ支払う料金の金額が高いほど任意データを表示する領域を広くする旨の契約が結ばれているものとし、提示条件データとして、サービス提供者が上記通信事業者へ支払う料金の金額が用いられているものとする。
【００１８】
このデータ送信装置５０は、ユーザへ提示すべきデータを送信することを端末装置３０から要求された場合に、該ユーザへ提示すべき一覧データと、任意データおよびこの任意データの提示条件とを特定する。そして、データ送信装置５０は、上記提示条件にしたがって、上記一覧データと上記任意データとを用いて上記ユーザへ提示すべき提示データを生成し端末装置３０へ送信する。なお、本実施形態では、データ送信装置５０が移動パケット通信網４０に接続されている場合について説明するが、このデータ送信装置５０がインターネット１０に接続されていても良いことは勿論である。また、このような場合には、データ送信装置５０と通信する端末装置として、インターネット１０に接続されているパーソナルコンピュータ装置を用いても良いことは言うまでもない。
【００１９】
（２：データ送信装置５０の構成）
次に、データ送信装置５０のハードウェア構成を図４を参照しつつ説明する。図４に示されるように、データ送信装置５０は制御部４１０と、通信部４２０と、記憶部４３０と、これら各構成要素間のデータ授受を仲介するバス４４０とを有している。
【００２０】
制御部４１０は、例えばＣＰＵ（Central Processing Unit）であり、記憶部４３０に格納されているソフトウェアを実行することによりデータ送信装置５０の各部を制御するものである。
【００２１】
通信部４２０は移動パケット通信網４０に接続されており、移動パケット通信網４０を介して端末装置３０と通信するためのものである。この通信部４２０は、端末装置３０から送信されてくるデータを受信し、受信したデータを制御部４１０へ引渡すとともに、制御部４１０から引渡されたデータを移動パケット通信網４０へ送出する。
【００２２】
記憶部４３０は、揮発性記憶部４３１と不揮発性記憶部４３２とを有している。揮発性記憶部４３１は、例えばＲＡＭ（Random Access Memory）であり、ソフトウェアを実行中の制御部４１０によりワークエリアとして使用される。一方、不揮発性記憶部４３２は、例えばハードディスクであり、上述した一覧データテーブル（図２参照）や、提示条件テーブル（図３参照）や、各サービス提供者の提供する任意データを格納している。また、不揮発性記憶部４３２には、オペレーティングシステム（Operating System：以下「ＯＳ」という）を制御部４１０に実現させるためのＯＳソフトウェアや、図５に示される提示データ送信処理をを制御部４１０に行わせるための提示データ送信ソフトウェアが格納されている。以下、これらソフトウェアを実行することにより、制御部４１０に付与される機能について説明する。
【００２３】
データ送信装置５０の電源（図示省略）が投入されると、制御部４１０は、まず、不揮発性記憶部４３２からＯＳソフトウェアを読み出し、これを実行する。ＯＳソフトウェアを実行中の制御部４１０には、データ送信装置５０の各部を制御する機能、他のソフトウェアを実行する機能などが付与される。そして、ＯＳソフトウェアの実行を完了し、ＯＳを実現している状態の制御部４１０は、不揮発性記憶部４３２から提示データ送信ソフトウェアを読み出し、これを実行する。この提示データ送信ソフトウェアを実行中の制御部４１０は、端末装置３０から一覧データの送信を要求された場合に、その端末装置３０を利用しているユーザに対してサービスを提供するサービス提供者の提供する任意データを、その任意データに対応付けられている提示条件データで示される態様で端末装置３０に提示させる提示データを生成し送信する。本実施形態では、制御部４１０は、一覧データや任意データを図６に示されている画面レイアウトで端末装置３０に表示させるための提示データを生成し送信するものとする。図６は、端末装置３０に表示されるポータル画面の画面レイアウトの一例を示す図であり、領域６００は、一覧データを表示するための領域である。また、図６の領域６１０は、任意データを表示するための領域である。
【００２４】
以上に説明したように、データ送信装置５０は、一般的なコンピュータ装置と同一の構成を有するものである。そして、データ送信装置５０の制御部４１０は、不揮発性記憶部４３２に格納されている提示データ送信ソフトウェアをＯＳの制御の下で実行することにより、本発明に係るデータ送信装置に特有な機能を実現する。
【００２５】
［Ｂ．動作］
次に、図１に示される通信システムにおいて、データ送信装置５０が行う動作のうち、本発明に係るデータ送信装置の特徴を顕著に示す動作についてのみ説明する。なお、本動作の前提として、データ送信装置５０には、図２に示される一覧データテーブルと、図３に示される提示条件テーブルとが格納されているものとする。また、以下では、データ送信装置５０の制御部４１０は、上述したソフトウェアを既に実行中であるものとする。
【００２６】
端末装置３０の操作部（図示省略）がユーザに操作され、一覧データを取得する旨の指示を入力されると、端末装置３０は、一覧データの送信を要求する旨の命令コードと自装置の通信アドレスとを内包したＨＴＴＰリクエスト（以下、「提示データ送信要求」という）を生成し、この提示データ送信要求を移動パケット通信網４０を介してデータ送信装置５０へ送信する。
【００２７】
上述したように、データ送信装置５０の制御部４１０は、上述した提示データ送信ソフトウェアを実行中であり、図５に示されるフローチャートにしたがって提示データ送信処理を実行している。図５に示されるように、制御部４１０は、通信部４２０を介して上記提示データ送信要求を受信（ステップＳＡ１）すると、まず、この提示データ送信要求を送信してきた端末装置３０のユーザを特定する（ステップＳＡ２）。本実施形態においては、制御部４１０は、ステップＳＡ１にて受信した提示データ送信要求に内包されている通信アドレスを取得し、この提示データ送信要求を送信してきた端末装置３０を特定することにより、その端末装置３０を利用しているユーザを特定する。
【００２８】
次に、制御部４１０は、ステップＳＡ２にて特定したユーザに対してサービスを提供するサービス提供者を特定する（ステップＳＡ３）。本実施形態においては、制御部４１０は、ステップＳＡ２にて取得した通信アドレスに対応付けて一覧データテーブル（図２参照）に格納されている一覧データを取得することにより、サービス提供者を特定する。具体的には、ステップＳＡ２にて特定したユーザに対してサービスを提供するサービス提供者として、サービス提供者Ａ、ＢおよびＣが特定される。
【００２９】
次に、制御部４１０は、ステップＳＡ３にて取得した一覧データに内包されているサーバ識別子と提示条件テーブル（図３参照）の格納内容とに基づいて、端末装置３０へ送信する任意データとその提示条件を示す提示条件データとを特定する（ステップＳＡ４）。
【００３０】
次に、制御部４１０は、ステップＳＡ４にて特定された任意データの提示をステップＳＡ４にて特定された提示条件データに基づいて端末装置３０に行わせるための提示データを生成する（ステップＳＡ５）。本実施形態では、制御部４１０は、サービス提供者Ａ、ＢおよびＣの提供する任意データを、各サービス提供者が通信事業者へ支払っている料金に比例した広さで領域６１０に表示させるための提示データを生成する。具体的には、制御部４１０は、端末装置３０に、図７に示すポータル画面を表示させるための提示データを生成する。図７に示されているように、サービス提供者Ａ、ＢおよびＣの提供する任意データは、それぞれ、３：２：１の比率で表示されている。
【００３１】
そして、制御部４１０は、ステップＳＡ５にて生成した提示データを内包したＨＴＭＬレスポンス（以下、「提示データ送信応答」という）を通信部４２０を介して端末装置３０へ送信し（ステップＳＡ６）、提示データ送信処理を終了する。
【００３２】
上記提示データ送信応答を受信した端末装置３０は、この提示データ送信応答に内包されている提示データをブラウザ機能を用いて解釈し、その解釈結果に応じたポータル画面（図７参照）を表示部（図示省略）に表示させる。
【００３３】
［Ｃ．変形例］
以上、本発明の実施形態について説明したが、本発明は係る実施形態に限定されるものではなく、その技術思想の範囲内で様々な変形が可能である。なお、変形例としては、例えば、以下のようなものが考えられる。
【００３４】
（変形例１）上述した実施形態では、データ送信装置５０に各サービス提供者の提供する任意データを予め記憶させておく場合について説明した。しかしながら、データ送信装置５０には、各サービス提供者の提供する任意データの所在場所を示すデータ（例えば、任意データのＵＲＬ）を記憶させておき、提示データ送信要求を受信する度に、このデータに基づいて、データ送信装置５０に任意データを取得させるとしても勿論良い。また、上述した実施形態では、任意データの提示条件を示す提示条件データをデータ送信装置５０に予め記憶させておく場合について説明した。しかしながら、データ送信装置５０には、提示条件データの所在場所を示すデータ（例えば、提示条件データを記憶しているコンピュータ装置のＵＲＬ）を記憶させておき、提示データ送信要求を受信する度に、このデータに基づいて提示条件データをデータ送信装置５０に取得させるとしても勿論良い。
【００３５】
（変形例２）上述した実施形態では、ポータル画面の領域６１０に、各サービス提供者の提供する任意データをそのサービス提供者が通信事業者へ支払っている料金の金額に比例した広さで表示する場合について説明した（図７参照）。しかしながら、任意データの表示態様は、係る態様に限定されるものではない。例えば、各サービス提供者の提供する任意データを１つづつポータル画面の領域６１０に表示し、各任意データの表示時間が上記金額に比例して長くなる態様であっても勿論良い。また、任意データをポップアップ画面に表示させ、そのポップアップ画面の表示時間が上記金額に比例して長くなる態様であっても良い。
【００３６】
（変形例３）上述した実施形態では、サービス提供者と通信事業者との間で、サービス提供者が通信事業者へ支払っている料金が高いほど広い領域に任意データを表示させる旨の契約が結ばれている場合について説明した。しかしながら、サービス提供者と通信事業者との間で結ばれる契約の態様は、係る態様に限定されるものではない。例えば、サービス提供者が通信事業者へ支払っている料金が高いほど任意データを表示する際の文字の大きさを大きくする態様であっても良い。
【００３７】
（変形例４）上述した実施形態では、サービス提供者と通信事業者との間で、サービス提供者が通信事業者へ支払っている料金が高いほど広い領域に任意データを表示させる旨の契約が結ばれている場合について説明した。しかしながら、サービス提供者と通信事業者との間で結ばれる契約の態様は、係る態様に限定されるものではない。例えば、サービス提供者の提供するサービスを利用しているユーザの数が多いほど広い領域に任意データを表示させる旨の契約が結ばれいる場合には、各サービス提供者の提供するサービスを利用しているユーザの数を提示条件データとして用いば良い。また、サービス提供者が割当てた優先順位が高いほど広い領域に任意データを表示させる旨の契約が結ばれている場合には、サービス提供者が任意データに対して割当てた優先順位を提示条件データとして用いれば良い。
【００３８】
（変形例５）上述した実施形態では、１つの任意データに対して１つの提示条件を定めておく場合について説明したが、１つの任意データに対して複数の提示条件を定めておくとしても勿論良い。例えば、１つの任意データに対して、その任意データを提示されるユーザの属性（例えば、年齢や性別など）毎に異なる優先順位を対応づけておくとしても良い。また、１つの任意データに対して、優先順位が異なる複数の期間を定めておくとしても良い。このようにすると、ユーザの属性や期間などに基づいて任意データの提示態様をきめ細やかに変化させることが可能になり、広告効果が向上するといった効果を奏する。
【００３９】
（変形例６）上述した実施形態では、サービス提供者の意図のみを、任意データの提示態様に反映させる場合について説明した。しかしながら、サービス提供者の意図に加え、ユーザの意図も任意データの提示態様に反映させるとしても勿論良い。このようなことは、サービス提供者毎にユーザによって設定された優先順位をデータ送信装置５０に記憶させておき、サービス提供者によって設定されている提示条件が同一である場合には、ユーザによって設定された優先順位にしたがって提示態様を決定することにより実現される。このようにすると、サービス提供者の意図とユーザの意図との両者に基づいて任意データの提示態様をきめ細やかに変化させることが可能になり、ユーザのニーズに即したデータを提示するとともに広告効果の向上を図ること、すなわち、サービス提供者の利益とユーザの利益とを調和させることが可能になるといった効果を奏する。
【００４０】
（変形例７）上述した実施形態では、本発明に係るデータ送信装置の機能を実現するソフトウェア（提示データ送信ソフトウェア）を予めデータ送信装置５０に記憶させておく場合について説明した。しかしながら、例えばＣＤ−ＲＯＭ（Compact Disk-Read only Memory）などのコンピュータ装置読み取り可能な記録媒体に、上記提示データ送信ソフトウェアを記録させておき、係る記録媒体を用いて一般的なポータルサイトサービスを提供するコンピュータ装置に本発明に係るデータ送信装置と同一の機能を付与するとしても勿論良い。
【図面の簡単な説明】
【００４１】
【図１】本発明の実施形態に係るデータ送信装置５０を有する通信システムの構成例を示す図である。
【図２】同データ送信装置５０に記憶されている一覧データテーブルの一例を示す図である。
【図３】同データ送信装置５０に記憶されている提示条件テーブルの一例を示す図である。
【図４】同データ送信装置５０の構成例を示すブロック図である。
【図５】同データ送信装置５０が行う提示データ送信動作の流れを示すフローチャートである。
【図６】同データ送信装置５０から送信された提示データに基づいて端末装置３０が表示するポータル画面の画面レイアウトの一例を示す図である。
【図７】同端末装置３０の表示部に表示されるポータル画面の一例を示す図である。
【符号の説明】
【００４２】
１０…インターネット、２０、２０Ａ、２０Ｂ、２０Ｃ…コンテンツサーバ、３０…端末装置、４０…移動パケット通信網、４１…基地局、４２…ＧＷ、５０…データ送信装置、４１０…制御部、４２０…通信部、４３０…記憶部、４３１…揮発性記憶部、４３２…不揮発性記憶部、４４０…バス。
【図１】
2005222403.tif 000003
【図２】
2005222403.tif 000004
【図３】
2005222403.tif 000005
【図４】
2005222403.tif 000006
【図５】
2005222403.tif 000007
【図６】
2005222403.tif 000008
【図７】
2005222403.tif 000009